(57)【特許請求の範囲】
【請求項１】
接地される器具本体と、前記器具本体に電気導通状態に取付けた取付台と、取付具により前記取付台に取付けた反射板とを備えた照明器具であって、
前記取付台および前記反射板はそれぞれ長孔を有し、
前記取付具は、軸部と、前記軸部の反射板表面側端部に形成した横長の回転操作部と、前記軸部の取付台裏面側端部に形成した横長の係止部と、前記回転操作部の反射板側面に突出して前記反射板に接触する突出部を有するとともに前記係止部の取付台側面に突出して前記取付台に接触する突出部を有して前記突出部同士が前記軸部を通して繋がった導電部とからなり、
前記回転操作部を前記反射板の前記長孔に挿通し、前記係止部を前記取付台の前記長孔に挿通し、前記軸部を９０度回転させて前記回転操作部を前記反射板に係止すると共に前記係止部を前記取付台に係止させ、かつ前記導電部の前記突出部を前記反射板と前記取付台に接触させて前記反射板と前記取付台の電気導通をとることを特徴とする照明器具。
【請求項２】
前記突出部の移動軌跡に合う円弧孔を前記長孔に連設し、前記突出部を前記円弧孔に挿通してその内周面に接触させたことを特徴とする請求項１記載の照明器具。
【請求項３】
前記突出部を前記反射板の表面または前記取付台の裏面に圧接させることを特徴とする請求項１記載の照明器具。
【請求項４】
接地される器具本体と、前記器具本体に電気導通状態に取付けた取付台と、取付具により前記取付台に取付けた反射板とを備えた照明器具であって、
前記取付台および前記反射板はそれぞれ長孔を有し、
前記取付具は、軸部と、前記軸部の反射板表面側端部に形成した横長の回転操作部と、前記軸部の取付台裏面側端部に形成した横長の係止部と、前記軸部の途中に設けた台座とを有し、前記取付台に接触する突出部および前記反射板に接触する突出部を有し前記突出部同士が繋がった導電部を前記台座に形成し、
前記回転操作部を前記反射板の前記長孔に挿通し、前記係止部を前記取付台の前記長孔に挿通し、前記軸部を９０度回転させて前記回転操作部を前記反射板に係止すると共に前記係止部を前記取付台に係止させ、かつ前記導電部の前記突出部を前記反射板と前記取付台に接触させて前記反射板と前記取付台の電気導通をとることを特徴とする照明器具。
【請求項５】
前記台座を前記軸部と離脱可能に形成したことを特徴とする請求項４記載の照明器具。
【請求項６】
接地される器具本体と、前記器具本体に電気導通状態に取付けた取付台と、取付具により前記取付台に取付けた反射板とを備えた照明器具であって、
前記取付台および前記反射板はそれぞれ長孔を有し、
前記反射板は表面に凸部を設け、
前記取付具は、軸部と、前記軸部の反射板表面側端部に形成した横長の回転操作部と、前記軸部の取付台裏面側端部に形成した横長の係止部と、前記凸部に接触する露出部を前記回転操作部の反射板側面に有するとともに前記取付台と接触する接触部分を前記係止部の取付台側面または前記軸部の中間部に設けられた台座に有して前記露出部と前記接触部分が前記軸部を通して繋がった導電部とからなり、
前記回転操作部を前記反射板の前記長孔に挿通し、前記係止部を前記取付台の前記長孔に挿通し、前記軸部を９０度回転させて前記回転操作部を前記反射板に係止すると共に前記係止部を前記取付台に係止させ、かつ前記導電部を前記反射板と前記取付台に接触させて前記反射板と前記取付台の電気導通をとることを特徴とする照明器具。
【発明の詳細な説明】
【０００１】
【発明の属する技術分野】
この発明は照明器具に関するものである。
【０００２】
【従来の技術】
従来より、図２９に示すような天井取付型の照明器具がある。１１２は反射板、１１６はソケット、１１７はランプである。反射板１１２を器具本体に取付ける方法としては、ビスによる方法や回転自在構造の取付具による方法等（例えば、特願平６−３１４３８２号公報）がある。
【０００３】
図３０および図３１に、ビスによる取付け構造を示す。１１０は器具本体であり、アース端子１１４を介して接地線１１５が接続されている。また、器具本体１１０には取付台１１１がタッピングネジ１１３により取付けられており、この取付台１１１にビス１１８にて反射板１１２が取付けられている。
【０００４】
【発明が解決しようとする課題】
従来のビス１１８による反射板１１２の取付け方法では、器具本体１１０はアース端子１１４，接地線１１５により接地されており、また取付台１１１は導電性を有したタッピングネジ１１３を介して器具本体１１０に導通されており接地されている。
【０００５】
しかし、ビス１１８は導電性を有していないため、反射板１１２と取付台１１１とは導通しておらず、そのため反射板１１２は接地されておらず、しかも反射板１１２はランプ１１７の交換等に際して容易に手が触れ易く、感電等の危険があった。
この発明は、簡単な方法で反射板の接地が行え安全性に優れた照明器具を提供することを目的とする。
【０００６】
【課題を解決するための手段】
請求項１記載の照明器具は、接地される器具本体と、前記器具本体に電気導通状態に取付けた取付台と、取付具により前記取付台に取付けた反射板とを備えた照明器具であって、
前記取付台および前記反射板はそれぞれ長孔を有し、
前記取付具は、軸部と、前記軸部の反射板表面側端部に形成した横長の回転操作部と、前記軸部の取付台裏面側端部に形成した横長の係止部と、前記回転操作部の反射板側面に突出して前記反射板に接触する突出部を有するとともに前記係止部の取付台側面に突出して前記取付台に接触する突出部を有して前記突出部同士が前記軸部を通して繋がった導電部とからなり、
前記回転操作部を前記反射板の前記長孔に挿通し、前記係止部を前記取付台の前記長孔に挿通し、前記軸部を９０度回転させて前記回転操作部を前記反射板に係止すると共に前記係止部を前記取付台に係止させ、かつ前記導電部の前記突出部を前記反射板と前記取付台に接触させて前記反射板と前記取付台の電気導通をとることを特徴とするものである。
【０００８】
請求項２記載の照明器具は、請求項１において、突出部の移動軌跡に合う円弧孔を長孔に連設し、突出部を円弧孔に挿通してその内周面に接触させたことを特徴とするものである。
請求項３記載の照明器具は、請求項１において、前記突出部を前記反射板の表面または前記取付台の裏面に圧接させることを特徴とするものである。
【０００９】
請求項１ないし請求項３記載の照明器具によると、回転操作部を反射板の長孔に挿通すると共に係止部を取付台の長孔に挿通させ、軸部を９０度回転させるという簡単な方法で、導電部にて反射板と取付台を電気導通させて反射板の接地が行える。
請求項４記載の照明器具は、接地される器具本体と、前記器具本体に電気導通状態に取付けた取付台と、取付具により前記取付台に取付けた反射板とを備えた照明器具であって、
前記取付台および前記反射板はそれぞれ長孔を有し、
前記取付具は、軸部と、前記軸部の反射板表面側端部に形成した横長の回転操作部と、前記軸部の取付台裏面側端部に形成した横長の係止部と、前記軸部の途中に設けた台座とを有し、前記取付台に接触する突出部および前記反射板に接触する突出部を有し前記突出部同士が繋がった導電部を前記台座に形成し、
前記回転操作部を前記反射板の前記長孔に挿通し、前記係止部を前記取付台の前記長孔に挿通し、前記軸部を９０度回転させて前記回転操作部を前記反射板に係止すると共に前記係止部を前記取付台に係止させ、かつ前記導電部の前記突出部を前記反射板と前記取付台に接触させて前記反射板と前記取付台の電気導通をとることを特徴とするものである。
【００１０】
請求項４記載の照明器具によると、請求項１の作用に加え、反射板の着脱時に台座が反射板に載置し、取付具が誤って脱落するのを防ぐことができる。
請求項５記載の照明器具は、請求項４において、台座を軸部と離脱可能に形成したことを特徴とするものである。
請求項５記載の照明器具によると、請求項４の作用に加え、台座が軸部より離脱可能であるため、軸部を９０度回転させて回転操作部を反射板に係止すると共に係止部を取付台に係止させる際に、台座が外れて軸部のみが回転し、反射板ならびに取付台と、台座との間の摩擦による操作性の低下を改善できる。
【００１１】
請求項６記載の照明器具は、接地される器具本体と、前記器具本体に電気導通状態に取付けた取付台と、取付具により前記取付台に取付けた反射板とを備えた照明器具であって、
前記取付台および前記反射板はそれぞれ長孔を有し、
前記反射板は表面に凸部を設け、
前記取付具は、軸部と、前記軸部の反射板表面側端部に形成した横長の回転操作部と、前記軸部の取付台裏面側端部に形成した横長の係止部と、前記凸部に接触する露出部を前記回転操作部の反射板側面に有するとともに前記取付台と接触する接触部分を前記係止部の取付台側面または前記軸部の中間部に設けられた台座に有して前記露出部と前記接触部分が前記軸部を通して繋がった導電部とからなり、
前記回転操作部を前記反射板の前記長孔に挿通し、前記係止部を前記取付台の前記長孔に挿通し、前記軸部を９０度回転させて前記回転操作部を前記反射板に係止すると共に前記係止部を前記取付台に係止させ、かつ前記導電部を前記反射板と前記取付台に接触させて前記反射板と前記取付台の電気導通をとることを特徴とするものである。
請求項６記載の照明器具によると、請求項１の作用に加え、導電部の露出部は取付具の外面に突出していないため見栄えが良く、しかも、回転操作時も露出部が反射板に接触せず、作業が円滑に行える。
【００１２】
【発明の実施の形態】
第１の実施の形態
この発明の第１の実施の形態を図１ないし図９に基づいて説明する。
図１は、取付具２０による反射板１２の取付台１１への取付け部分の断面図を示している。図２，図３は取付具２０の斜視図ならびに正面図を示している。
【００１３】
取付具２０は、軸部２１と、軸部２１の両端にそれぞれ形成した横長の回転操作部２２ならびに係止部２３と、軸部２１の途中に形成した台座２４と、導電部２５とから構成されている。軸部２１，回転操作部２２，係止部２３，台座２４は樹脂製であり、導電部２５は導電性を有した金属製であり、導電部２５は軸部２１の両側面に突出させてインサート成形されている。
【００１４】
図４，図５は照明器具の斜視図ならびに断面図を示している。１０は器具本体、１１は器具本体１０にタッピングネジ１３にて導通状態に取付けた取付台、１２は取付台１１に取付具２０にて取付けた反射板、１４はソケット、１５はランプである。
次に、反射板１２の取付けについて詳細に説明する。まず、図６に示すように、反射板１２の長孔１６に回転操作部２２を挿入すると共に、取付台１１の長孔（図示せず）に係止部２３を挿入する。そして図７に示すように、回転操作部２２を９０度捻り、係止部２３を取付台１１に係止し、回転操作部２２にて反射板１２を支持して、係止部２３と回転操作部２２で取付台１１ならびに反射板１２を挟み込んで固定する。
【００１５】
なお、図８および図９に示すように、導電部２５の回転範囲２９の直径をφＡとした場合、反射板１２の長孔１６に、回転範囲２９より若干小さい直径φ（Ａ−α）の円孔２８を形成しておき、同様に取付台１１の長孔にも回転範囲２９より若干小さい直径の円孔を形成しておき、取付台１１ならびに反射板１２の各円孔２８に挿通した導電部２５にて取付台１１と反射板１２の導通を図る。
【００１６】
なお、図４に示すように、この実施の形態では反射板１２は両端２箇所にて取付具２０にて取付台１１に取付けてあるが、取付具２０による取付け箇所ならびに個数は特に限定されない。
このように構成された照明器具によると、取付具２０の導電部２５が取付台１１と反射板１２の各長孔１６の内周面と当接することで、図１の破線ｅで示すように、導電部２５を介して取付台１１と反射板１２が導通し、反射板１２は接地した器具本体１０を介して接地される。しかも、回転操作部２２を反射板１２の長孔１６に挿通すると共に、係止部２３を取付台１１の長孔に挿通させ、回転操作部２２を９０度捻るという簡単な方法で、反射板１２による感電を防ぐことができ、安全性が向上する。
【００１７】
また、反射板１２の着脱時に、台座２４が反射板１２に載置することで、取付具２０が誤って脱落するのを防ぐことができる。
第２の実施の形態
この発明の第２の実施の形態を図１０ないし図１３に基づいて説明する。
図１０は取付具３０の断面図、図１１は取付具３０による反射板１２の取付台１１への取付け部分の断面図を示している。
【００１８】
取付具３０は、軸部３１と、軸部３１の両端にそれぞれ形成した横長の回転操作部３２ならびに係止部３３と、軸部３１の途中に形成した台座３４と、導電部３５とから構成されている。軸部３１，回転操作部３２，係止部３３，台座３４は樹脂製であり、導電部３５は導電性を有した金属製であり、導電部３５は回転操作部３２の反射板側面ならびに係止部３３の取付台側面にそれぞれ突出部３６，３７を形成してインサート成形されている。
【００１９】
図１２は取付具３０の平面図を示しており、回転操作部３２を９０度捻ると、突出部３６は軌跡３９に示すように移動し、この動きに合致するように反射板１２の長孔１６に円弧孔１２ａ（図１３）を連設しておく。同様に、取付台１１の長孔にも突出部３７の軌跡に合致する円弧孔１１ａ（図１１）を連設しておく。
取付具３０による反射板１２の取付けに際しては、まず回転操作部３２を反射板１２の長孔１６に挿通しかつ突出部３６を円弧孔１２ａに挿通させる。次に、係止部３３を取付台１１の長孔に挿通しかつ突出部３７を円弧孔１１ａに挿通させる。そして、回転操作部３２を９０度捻り、突出部３６，３７をそれぞれ円弧孔１２ａ，１１ａの端部まで移動させ、係止部３３と回転操作部３２で取付台１１ならびに反射板１２を挟み込んで固定する。
【００２０】
このように構成された照明器具によると、図１１の破線ｅで示すように、取付台１１に突出部３７が当接し、反射板１２に突出部３６が当接することで、取付具３０の導電部３５を介して取付台１１と反射板１２が導通し、反射板１２が接地され、簡単な方法で反射板１２による感電を防ぐことができ、安全性が向上する。
【００２１】
なお、突出部３６，３７は、それぞれ回転操作部３２，係止部３３に少なくとも１つ形成すればよい。
第３の実施の形態
この発明の第３の実施の形態を図１４に基づいて説明する。
図１４は取付具４０による反射板１２の取付台１１への取付け部分の断面図を示している。
【００２２】
取付具４０は、軸部４１と、軸部４１の両端にそれぞれ形成した横長の回転操作部４２ならびに係止部４３と、軸部４１の途中に形成した台座４４と、導電部４５とから構成されている。軸部４１，回転操作部４２，係止部４３，台座４４は樹脂製であり、導電部４５は導電性を有した金属製であり、導電部４５は回転操作部４２の反射板側面ならびに係止部４３の取付台側面にそれぞれ突出部４６，４７を形成してインサート成形する。
【００２３】
取付具４０による反射板１２の取付けに際しては、まず回転操作部４２を反射板１２の長孔１６に挿通させ、係止部４３を取付台１１の長孔に挿通させる。次に、回転操作部４２を９０度捻り、係止部４３と回転操作部４２で取付台１１ならびに反射板１２を挟み込んで固定する。
このように構成された照明器具によると、図１４の破線ｅで示すように、取付台１１に突出部４７が圧接し、反射板１２に突出部４６が圧接することで、取付具４０の導電部４５を介して取付台１１と反射板１２が導通し、反射板１２が接地され、簡単な方法で反射板１２による感電を防ぐことができ、安全性が向上する。
【００２４】
なお、突出部４６，４７は、それぞれ回転操作部４２，係止部４３に少なくとも１つ形成すればよい。
第４の実施の形態
この発明の第４の実施の形態を図１５に基づいて説明する。
図１５は取付具５０の断面図を示している。
【００２５】
取付具５０は、軸部５１と、軸部５１の両端にそれぞれ形成した横長の回転操作部５２ならびに係止部５３と、軸部５１の途中に形成した台座５４と、導電部５５とから構成されている。軸部５１，回転操作部５２，係止部５３，台座５４は樹脂製であり、導電部５５は導電性を有した金属製であり、導電部５５は回転操作部５２の反射板側面ならびに係止部５３の取付台側面にそれぞれ突出部５６，５７を形成してインサート成形する。なお、突出部５６，５７の先端は山型の鋭利な形状となっている。
【００２６】
このように構成された照明器具によると、取付台１１に突出部５７が接し、反射板１２に突出部５６が接することで、取付具５０の導電部５５を介して取付台１１と反射板１２が導通し、反射板１２が接地され、簡単な方法で反射板１２による感電を防ぐことができ、安全性が向上する。
なお、突出部５６，５７は、それぞれ回転操作部５２，係止部５３に少なくとも１つ形成すればよい。
【００２７】
第５の実施の形態
この発明の第５の実施の形態を図１６および図１７に基づいて説明する。
図１６は取付具６０による反射板１２の取付台１１への取付け部分の断面図を示しており、図１７は取付具６０の斜視図を示している。
取付具６０は、軸部６１と、軸部６１の両端にそれぞれ形成した横長の回転操作部６２ならびに係止部６３と、軸部６１の途中に形成した台座６４と、導電部６５とから構成されている。軸部６１，回転操作部６２，係止部６３，台座６４は樹脂製であり、導電部６５は導電性を有した金属製であり、導電部６５は回転操作部６２の反射板側面ならびに係止部６３の取付台側面に突出部６６，６７を形成してインサート成形する。なお、突出部６６，６７の先端は山型の鋭利な形状となっており、台座６４の両面にはそれぞれ突出部６６，６７に対応する位置に凸部６８，６９が形成されている。
【００２８】
このように構成された照明器具によると、図１６の破線ｅで示すように、取付台１１に突出部６７が圧接し、反射板１２に突出部６６が圧接することで、取付具６０の導電部６５を介して取付台１１と反射板１２が導通し、反射板１２が接地され、簡単な方法で反射板１２による感電を防ぐことができ、安全性が向上する。しかも、台座６４の両面にそれぞれ突出部６６，６７に対応する位置に凸部６８，６９を形成してあるので、凸部６８，６９によって反射板１２と取付台１１がそれぞれ突出部６６，６７に押圧されるので、導通がより一層確実となる。
【００２９】
第６の実施の形態
この発明の第６の実施の形態を図１８および図１９に基づいて説明する。
図１８は取付具７０による反射板１２の取付台１１への取付け部分の断面図を示しており、図１９は取付具７０の斜視図を示している。
取付具７０は、軸部７１と、軸部７１の両端にそれぞれ形成した横長の回転操作部７２ならびに係止部７３と、軸部７１の途中に形成した台座７４と、導電部７５とから構成されている。軸部７１，回転操作部７２，係止部７３，台座７４は樹脂製であり、導電部７５は導電性を有した金属製であり、導電部７５は台座７４の両面に突出した凸部７６，７７を形成してインサート成形する。なお、導電部７５の形状は、両面にそれぞれ突出部７６，７７を突設したものであればよく、その形状は円形や矩形等、特に限定されない。
【００３０】
取付具７０による反射板１２の取付けに際しては、まず回転操作部７２を反射板１２の長孔に挿通させ、係止部７３を取付台１１の長孔に挿通させる。次に、回転操作部７２を９０度捻り、係止部７３と回転操作部７２で取付台１１ならびに反射板１２を挟み込んで固定する。
このように構成された照明器具によると、導電部７５の突出部７６が反射板１２に当接し、かつ突出部７７が取付台１１に当接することで、取付具７０の導電部７５を介して取付台１１と反射板１２が導通し、反射板１２が接地され、簡単な方法で反射板１２による感電を防ぐことができ、安全性が向上する。さらに、突出部７６が反射板１２の裏面側に当接するため、取付具７０の回転時に反射板１２の表面が傷付かず、見栄えが良い。
【００３１】
なお、台座７４の各面にそれぞれ複数の突出部７６，７７を形成してもよい。
第７の実施の形態
この発明の第７の実施の形態を図２０および図２１に基づいて説明する。
図２０は取付具８０による反射板１２の取付台１１への取付け部分の断面図を示しており、図２１は取付具８０の分解斜視図を示している。
【００３２】
取付具８０は、軸部８１と、軸部８１の両端にそれぞれ形成した横長の回転操作部８２ならびに係止部８３と、軸部８１の途中に形成した台座８４と、導電部８５とから構成されている。軸部８１，回転操作部８２，係止部８３，台座８４は樹脂製であり、導電部８５は導電性を有した金属製であり、導電部８５は台座８４に嵌合可能なコ字形をしており、上下のフランジ８５ａ，８５ｂには軸部８１を嵌入可能な凹部８６を有すると共に、外面に突出部８７，８８が切り起こし形成されている。
【００３３】
取付具８０による反射板１２の取付けに際しては、まず回転操作部８２を反射板１２の長孔に挿通させ、台座８４に導電部８５を外嵌し、導電部８５の凹部８６に軸部８１を嵌合させる。次に、係止部８３を取付台１１の長孔に挿通させる。そして、回転操作部８２を９０度捻り、係止部８３と回転操作部８２で取付台１１ならびに反射板１２を挟み込んで固定する。
【００３４】
このように構成された照明器具によると、導電部８５の突出部８７が反射板１２に当接し、かつ突出部８８が取付台１１に当接することで、取付具８０の導電部８５を介して取付台１１と反射板１２が導通し、反射板１２が接地され、簡単な方法で反射板１２による感電を防ぐことができ、安全性が向上する。さらに、導電部８５は着脱自在であり、反射板１２の接地が不要な場合、導電部８５を使用しなければよく、反射板１２の接地の要否のいずれの場合でも取付具８０を共用でき、コストの削減が図れる。
【００３５】
第８の実施の形態
この発明の第８の実施の形態を図２２および図２３に基づいて説明する。なお、この実施の形態は、図１８および図１９に示した第６の実施の形態の変形例である。
図２２は取付具９０の斜視図であり、図２１は取付具９０の使用状態の斜視図を示している。
【００３６】
取付具９０は、軸部９１と、軸部９１の両端にそれぞれ形成した横長の回転操作部９２ならびに係止部と、軸部９１の途中に形成した台座９３と、台座９３にインサート成形した導電部とから構成されている。９４，９７は、台座９３の両面に突設した導電部の突出部である。さらに、台座９３の中心の軸部９１の周囲には切欠部９５が形成されており、軸部９１と台座９３は連結部９６にて連結されている。軸部９１，回転操作部９２，係止部，台座９３は樹脂製であり、導電部は導電性を有した金属製である。
【００３７】
取付具９０による反射板の取付けに際しては、まず回転操作部９２を反射板の長孔に挿通させ、係止部を取付台の長孔に挿通させる。次に、回転操作部９２を９０度捻り、突出部９４，９７と反射板１２ならびに取付台１１との間の摩擦により、台座９３は回転せず、連結部９６が折れて軸部９１のみが回転して、係止部と回転操作部９２で取付台１１ならびに反射板１２を挟み込んで固定する。
【００３８】
このように構成された照明器具によると、導電部の突出部９４が反射板１２に当接し、かつ突出部９７が取付台１１に当接することで、取付具９０の導電部を介して取付台１１と反射板１２が導通し、反射板１２が接地され、簡単な方法で反射板１２による感電を防ぐことができ、安全性が向上する。さらに、連結部９６が折れて軸部９１のみが回転するので、突出部９４，９７と反射板１２ならびに取付台１１との間の摩擦による操作性の低下を改善することができる。
【００３９】
第９の実施の形態
この発明の第９の実施の形態を図２４ないし図２８に基づいて説明する。
図２４は取付具１００の部分斜視図であり、図２５は取付具１００の部分断面図を示している。
取付具１００は、軸部１０１と、軸部１０１の両端にそれぞれ形成した横長の回転操作部１０２ならびに係止部（図示せず）と、軸部１０１の途中に形成した台座１０３と、導電部１０４とから構成されている。導電部１０４は回転操作部１０２の反射板側面に露出部１０５を形成してインサート成形する。なお、係止部の形状ならびに導電部１０４と取付台１１との接触方法は、前記第１ないし第８の各実施の形態のいずれの構成であってもよい。
【００４０】
また、図２６に示すように、反射板１２の長孔１６の両側には露出部１０５に対向する位置に、凸部１２ｂが形成されている。
取付具１００による反射板１２の取付けに際しては、まず回転操作部１０２を反射板１２の長孔に挿通させ、係止部を取付台１１の長孔に挿通させる。次に、回転操作部１０２を９０度捻り、露出部１０５と反射板１２の凸部１２ｂを当接させ（図２７，図２８）、係止部と回転操作部１０２で取付台１１ならびに反射板１２を挟み込んで固定する。
【００４１】
このように構成された照明器具によると、導電部１０４の露出部１０５が反射板１２の凸部１２ｂに当接し、かつ導電部１０４の他端は取付台１１に接触することで、取付具１００の導電部１０４を介して取付台１１と反射板１２が導通し、反射板１２が接地され、簡単な方法で反射板１２による感電を防ぐことができ、安全性が向上する。さらに、導電部１０４の露出部１０５は取付具１００の外面に突出していないため見栄えが良く、しかも、回転操作時に露出部１０５が反射板１２に接触せず、操作が円滑に行える。
【００４２】
【発明の効果】
請求項１ないし請求項３記載の照明器具によると、回転操作部を反射板の長孔に挿通すると共に係止部を取付台の長孔に挿通させ、軸部を９０度回転させるという簡単な方法で、導電部にて反射板と取付台を電気導通させて反射板の接地が行え、反射板による感電を防ぐことができ、安全性が向上する。
【００４３】
請求項４記載の照明器具によると、請求項１の効果に加え、反射板の着脱時に台座が反射板に載置し、取付具が誤って脱落するのを防ぐことができる。
請求項５記載の照明器具によると、請求項４の効果に加え、台座が軸部より離脱可能であるため、軸部を９０度回転させて回転操作部を反射板に係止すると共に係止部を取付台に係止させる際に、台座が外れて軸部のみが回転し、反射板ならびに取付台と、台座との間の摩擦による操作性の低下を改善できる。
【００４４】
請求項６記載の照明器具によると、請求項１の効果に加え、導電部の露出部は取付具の外面に突出していないため見栄えが良く、しかも、回転操作時も露出部が反射板に接触せず、作業が円滑に行える。
【図面の簡単な説明】
【図１】この発明の第１の実施の形態の取付具による反射板の取付け部分の断面図である。
【図２】この発明の第１の実施の形態の取付具の斜視図である。
【図３】この発明の第１の実施の形態の取付具の正面図である。
【図４】この発明の第１の実施の形態の照明器具の斜視図である。
【図５】この発明の第１の実施の形態の照明器具の断面図である。
【図６】この発明の第１の実施の形態の取付具による反射板の取付け部分の分解斜視図である。
【図７】この発明の第１の実施の形態の取付具による反射板の取付け部分の斜視図である。
【図８】この発明の第１の実施の形態の取付具の平面図である。
【図９】この発明の第１の実施の形態の反射板の長孔部分の拡大図である。
【図１０】この発明の第２の実施の形態の取付具の断面図である。
【図１１】この発明の第２の実施の形態の取付具による反射板の取付け部分の断面図である。
【図１２】この発明の第２の実施の形態の取付具の平面図である。
【図１３】この発明の第２の実施の形態の反射板の長孔部分の拡大図である。
【図１４】この発明の第３の実施の形態の取付具による反射板の取付け部分の断面図である。
【図１５】この発明の第４の実施の形態の取付具の断面図である。
【図１６】この発明の第５の実施の形態の取付具による反射板の取付け部分の断面図である。
【図１７】この発明の第５の実施の形態の取付具の斜視図である。
【図１８】この発明の第６の実施の形態の取付具による反射板の取付け部分の断面図である。
【図１９】この発明の第６の実施の形態の取付具の斜視図である。
【図２０】この発明の第７の実施の形態の取付具による反射板の取付け部分の断面図である。
【図２１】この発明の第７の実施の形態の取付具の分解斜視図である。
【図２２】この発明の第８の実施の形態の取付具の斜視図である。
【図２３】この発明の第８の実施の形態の取付具の使用状態の斜視図である。
【図２４】この発明の第９の実施の形態の取付具の部分斜視図である。
【図２５】この発明の第９の実施の形態の取付具の部分断面図である。
【図２６】この発明の第９の実施の形態の反射板の部分斜視図である。
【図２７】この発明の第９の実施の形態の取付具による反射板の取付け部分の斜視図である。
【図２８】この発明の第９の実施の形態の取付具による反射板の取付け部分の断面図である。
【図２９】従来例の照明器具の斜視図である。
【図３０】従来例の照明器具の断面図である。
【図３１】従来例の反射板の取付け部分の断面図である。
【符号の説明】
１０  器具本体
１１  取付台
１２  反射板
１２ｂ  凸部
２０，３０，４０，５０，６０，７０，８０，９０，１００  取付具
２１，３１，４１，５１，６１，７１，８１，９１，１０１  軸部
２２，３２，４２，５２，６２，７２，８２，９２，１０２  回転操作部
２３，３３，４３，５３，６３，７３，８３  係止部
２４，３４，４４，５４，６４，７４，８４，９３，１０３  台座
２５，３５，４５，５５，６５，７５，８５，１０４  導電部
３６，３７，４６，４７，５６，５７，６６，６７  突出部
１０５  露出部
【図１】
0003918318.tif 000002
【図２】
0003918318.tif 000003
【図３】
0003918318.tif 000004
【図４】
0003918318.tif 000005
【図５】
0003918318.tif 000006
【図６】
0003918318.tif 000007
【図７】
0003918318.tif 000008
【図８】
0003918318.tif 000009
【図９】
0003918318.tif 000010
【図１０】
0003918318.tif 000011
【図１１】
0003918318.tif 000012
【図１２】
0003918318.tif 000013
【図１３】
0003918318.tif 000014
【図１４】
0003918318.tif 000015
【図１５】
0003918318.tif 000016
【図１６】
0003918318.tif 000017
【図１７】
0003918318.tif 000018
【図１８】
0003918318.tif 000019
【図１９】
0003918318.tif 000020
【図２０】
0003918318.tif 000021
【図２１】
0003918318.tif 000022
【図２２】
0003918318.tif 000023
【図２３】
0003918318.tif 000024
【図２４】
0003918318.tif 000025
【図２５】
0003918318.tif 000026
【図２６】
0003918318.tif 000027
【図２７】
0003918318.tif 000028
【図２８】
0003918318.tif 000029
【図２９】
0003918318.tif 000030
【図３０】
0003918318.tif 000031
【図３１】
0003918318.tif 000032